(57)【要約】  室外機本体（１）の内部を、仕切り板（７）を介して熱交換器（１０）及び送風機（１３）を収容する熱交換室（８Ａ）と、圧縮機（１５）と配管類（５）を収容する機械室（８Ｂ）とに区分し、電気部品箱（２０）を室外機本体（１）と仕切り板（７）上端との間に取付け、制御基板（２４）は電気部品（Ｄ）実装面を下側に向けて電気部品箱（２０）内部に水平姿勢で収容し、電気部品箱（２０）底面にリード線の配線作業用である開口部（Ｋ）を開口し、配線カバー（２５）を電気部品箱（２０）底面にスライド自在に取付けてリード線配線作業用の開口部（Ｋ）を開閉自在となすことで、電気的な不具合発生時における電気部品（Ｄ）の外部への落下などの抑制を図ることができる。
2009041424.tif 000002
【特許請求の範囲】
【請求項１】
内部が仕切り板を介して、熱交換器及び送風機を収容する熱交換室と、圧縮機と配管類を収容する機械室とに区分される、筐体である室外機本体と、
この室外機本体の天板と、上記仕切り板上端に設けられる切欠部との間に介在される電気部品箱と、
この電気部品箱内部に水平姿勢で収容され、電気部品を実装した面を下側に向けた制御基板と、
上記電気部品箱の底面一部に開口され、上記電気部品にリード線を接続するための配線作業用である開口部と、
上記電気部品箱底面にスライド自在に取付けられ、上記リード線配線作業用の開口部を開閉自在となす配線カバーと
を具備することを特徴とする空気調和機の室外機。
【請求項２】
上記仕切り板は、室外機本体前面にフックを備え、
上記配線カバーは、電気部品に対するリード線の配線作業時に、仕切り板に設けられる上記フックに掛止して、電気部品箱本体と上記制御基板を縦姿勢に保持する引掛け爪を備えたことを特徴とする請求項１記載の空気調和機の室外機。
【請求項３】
上記電気部品箱本体底面に、第１の配線取出し孔が設けられ、
上記配線カバーに、第２の配線取出し孔が設けられ、
配線カバーがリード線配線作業用の開口部を開放した状態で、上記第１の配線取出し孔に対して上記第２の配線取出し孔の位置が略一致して互いに連通し、
配線カバーがリード線配線作業用の開口部を閉成した状態で、第１の配線取出し孔に対して第２の配線取出し孔の位置がずれて互いに一部を残して閉成するよう構成されることを特徴とする請求項１記載の空気調和機の室外機。
【請求項４】
上記配線カバーがリード線配線作業用の開口部を開放する位置と、配線カバーがリード線配線作業用の開口部を閉成する位置の両方で、配線カバーの位置決めをなす一対の係止部と一対の係合部を、上記電気部品箱本体と上記配線カバーに備えたことを特徴とする請求項１記載の空気調和機の室外機。
【発明の詳細な説明】
【技術分野】
【０００１】
本発明は、電気部品箱の構造を改良した空気調和機の室外機に関する。
【背景技術】
【０００２】
空気調和機の室外機を構成する室外機本体内部は、仕切り板によって区分されている。区分された一方は、圧縮機と四方切換え弁等の配管類を収容する機械室であり、他方は熱交換器と室外送風機を収容する熱交換室である。【０００３】
上記機械室は、圧縮機や四方切換え弁等の電動部品に対する冷却用として外気を導入しているが、外気に乗って侵入する雨風から防御するために、ある程度は外気から遮断された構造となっている。【０００４】
上記圧縮機や四方切換え弁及び室外送風機等の電動部品は、制御基板に実装されるパワートランジスタやコンデンサ他の電気部品により制御駆動される。これら制御基板と電気部品は電気部品箱内に一括して収容されていて、電気部品箱は仕切り板の上端に設けられる切欠部に嵌め込まれる。【０００５】
電気部品箱は、制御基板に実装される電気部品と、圧縮機等の電動部品とをリード線を介して接続するため、ほとんど大部分が機械室に位置していて、機械室内に導入される外気の一部を取込んで、制御基板上の電気部品の温度上昇を規制している。さらに、パワートランジスタ等の発熱電気部品を効率よく冷却するため、放熱フィンを熱交換室に突出して備え、室外送風機の送風を利用している。【０００６】
ところで、機械室及び電気部品箱内に導入される外気に塵埃が含まれていて、塵埃は電気部品箱内の電気部品や制御基板に付着し堆積して電気部品や接点の劣化を招き、電気的不具合を発生する虞れがある。そこで、電気部品箱内部の上端に制御基板を取付け、ここに電気部品を下向きに実装して、塵埃の付着堆積を最小限化した技術が一般化している。【０００７】
さらに特開２００２−２４０２７７号公報には、電気部品箱本体の底面のうち、機械室に面する部分の５０％以上を開口した技術が開示されている。このため、電気部品箱内に収容される電気部品と、室外機本体内に配置される電動部品との接続が、上記開口を通して容易に行うことができ、電気部品の取付けが容易となる、とある。
【発明の開示】
【０００８】
確かに、電気部品箱本体の底面に大なる開口部を備えれば、制御基板に実装される電気部品と、圧縮機等の電動部品との、電気的接続をなすリード線の配線作業が容易化することは言うまでもない。しかしながら、特開２００２−２４０２７７号公報では、配線作業に必要な上記開口部は、配線作業の完了後もそのまま開口している。
【０００９】
すなわち、電気部品箱においてリード線の配線作業用の開口部は機械室内に開口していて、機械室に配置される圧縮機等の電動部品を冷却するための外気の一部が、開口部を介して電気部品箱内に大量に導入される。外気には塵埃や湿気が含まれているから、長期間の使用により電気部品箱内の電気部品や接点部分が塵埃や湿気の影響で劣化し、電気的不具合発生が避けられない。
【００１０】
本発明は上記事情にもとづきなされたものであり、その目的とするところは、電気部品箱内に収容される電気部品と室外機本体内に配置される電動部品との電気的な接続をなすリード線の接続作業の容易化を得て作業性の向上を図るとともに、リード線接続作業の完了後は電気部品箱の開口部を閉成する囲い構造として、電気的な不具合発生時における電気部品の外部への落下などの抑制を図れる空気調和機の室外機を提供しようとするものである。
【００１１】
上記目的を満足するため本発明の空気調和機の室外機は、筐体からなる室外機本体の内部を仕切り板で熱交換器及び送風機を収容する熱交換室と、圧縮機と配管類を収容する機械室とに区分し、電気部品箱を室外機本体と仕切り板上端との間に取付け、電気部品の実装面を下側に向けた制御基板を電気部品箱内部に水平姿勢で収容し、電気部品箱底面一部にリード線の配線作業用である開口部を開口し、配線カバーを電気部品箱底面にスライド自在に取付けてリード線配線作業用の開口部を開閉自在となす。
【図面の簡単な説明】
【００１２】
【図１】図１は、本発明における一実施の形態に係る空気調和機の室外機を分解した斜視図である。
【図２】図２は、同実施の形態に係る電気部品箱を分解した斜視図である。
【図３Ａ】図３Ａは、同実施の形態に係る配線カバーにより開口部を開放した電気部品箱の斜視図である。
【図３Ｂ】図３Ｂは、同実施の形態に係る配線カバーにより開口部を閉成した電気部品箱の斜視図である。
【図４Ａ】図４Ａは、同実施の形態に係る空気調和機の室外機の一部を省略した電気部品の支持状態を説明する斜視図である。
【図４Ｂ】図４Ｂは、同実施の形態に係る空気調和機の室外機の一部を省略した電気部品を異なる方向から見た電気部品箱の拡大した斜視図である。
【図５Ａ】図５Ａは、同実施の形態に係る配線カバーにより開口部を開放した電気部品箱の底面図である。
【図５Ｂ】図５Ｂは、同実施の形態に係る配線カバーにより開口部を閉成した電気部品箱の底面図である。
【図６Ａ】図６Ａは、同実施の形態に係る配線カバーにより開口部を開放した電気部品箱の斜視図である。
【図６Ｂ】図６Ｂは、同実施の形態に係る配線カバーにより開口部を閉成した電気部品箱の斜視図である。
【発明を実施するための最良の形態】
【００１３】
以下、本発明の実施の形態を、図面に基づいて説明する。図１は空気調和機の室外機を分解して示す斜視図である。筐体からなる室外機本体１は、平面視で横長矩形状の底板１ａと、この底板１ａの前面側に立設される前キャビネット１ｂと、底板１ａの左側部に立設される左サイドキャビネット１ｃと、右側部に立設される右サイドキャビネット１ｄと、背面側に立設される後キャビネット１ｅ及び、これら前、左右、後キャビネット１ｂ，１ｃ，１ｄ，１ｅの上端に亘って設けられる天板１ｆとから構成される。【００１４】
上記前キャビネット１ｂの一側部に片寄った位置に、ベルマウス２が形成される吹出口３が設けられ、この吹出し口３にファンガード４が嵌め込まれる。上記左サイドキャビネット１ｃは、上下方向に所定間隔を存して桟部が設けられ、これら桟部相互間は開口部となっている。【００１５】
右サイドキャビネット１ｄは、後述する配管類５が挿通する開口部を備え、かつパックドバルブカバー６によって覆われる。配管類５は、四方切換え弁や冷媒管の他に、室内機から延出する冷媒管と接続するためのパックドバルブ５ａを備えている。配管接続時やメンテナンス時に、パックドバルブカバー６を取外せば、作業がし易い。【００１６】
後キャビネット１ｅは、縦方向と横方向に所定の間隔を存して桟部が設けられていて、これら桟部相互間は開口部となっている。天板１ｆは、周縁に沿って折曲げ加工された１枚の平板からなり、室外機本体１の上面部を閉成する。このようにして構成される室外機本体１内部は、仕切り板７によって二室に区分される。【００１７】
仕切り板７の前端部は前キャビネット１ｂの吹出し口３側部裏面に当接し、後端部は後キャビネット１ｅと右サイドキャビネット１ｄの交差隅部に当接する。仕切り板７は、前キャビネット１ｂから背面へ左右サイドキャビネット１ｃ、１ｄと並行に延出され、後キャビネット１ｅの近傍部位から右サイドキャビネット１ｄと後キャビネット１ｅの交差隅部に向って斜めに折曲される。【００１８】
仕切り板７の左サイドキャビネット１ｃ側空間室を熱交換室８Ａと呼び、右サイドキャビネット１ｄ側空間室を機械室８Ｂと呼ぶ。仕切り板７の取付け位置と形態から、熱交換室８Ａは室外機本体１内部の略３／４程度の容積であり、機械室８Ｂは残りの略１／４程度の容積をなす。【００１９】
上記熱交換室８Ａにおいて、底板１ａ上で左サイドキャビネット１ｃと後キャビネット１ｅに近接する位置に熱交換器１０が配置される。熱交換器１０は平面視で略Ｌ字状に形成され、この一側端は前キャビネット１ｂと左サイドキャビネット１ｃとの交差隅部に位置し、他側端は右サイドキャビネット１ｄと後キャビネット１ｅとの交差隅部に位置している。熱交換器１０の上端は天板１ｆと極く近接した位置にある。【００２０】
さらに、熱交換室８Ａには送風機支持部材１２が設けられていて、ここに室外送風機１３が支持される。すなわち、室外送風機１３は熱交換器１０と仕切り板７及び前キャビネット１ｂで囲まれた位置にある。室外送風機１３は、軸方向の背面側から熱交換空気を吸込んで、前面側へ吹出すプロペラファンを備えている。【００２１】
室外送風機１３の送風作用にともない、開口構造の左、後キャビネット１ｃ，１ｅが熱交換空気である外気の吸込み側となり、プロペラファンの軸方向前面側に対向して設けられる前キャビネット１ｂの吹出し口３が吹出し側となる。このときベルマウス２は外気の吹出しを案内する。【００２２】
なお、上記送風機支持部材１２の上端部には前キャビネット１ｂに当接し、かつ固定具を介して取付けられる補強部材が設けられている。この補強部材は、前キャビネット１ｂに吹出し口３を打ち抜き加工により形成する際に、得られた打ち抜き片を利用したものであり、材料の有効利用を図っている。【００２３】
上記機械室８Ｂには、圧縮機１５と気液分離器１６が配置されるとともに、これら圧縮機１５と気液分離器１６に接続される四方切換え弁等を備えた上記配管類５が収容される。圧縮機１５等は、熱交換室８Ａ内の熱交換器１０や、室内機に収容される熱交換器などと、冷媒管を介して冷凍サイクルを構成するよう接続される。【００２４】
また、機械室８Ｂ内に配置される圧縮機１５及び気液分離器１６と、この圧縮機１５等に接続される配管類５との全高寸法は、底板１ａから天板１ｆまでの全高寸法よりもかなり小さく、スペース的に余裕がある。このスペース部分に電気部品箱２０が取付けられる。【００２５】
すなわち、仕切り板７の上端は切欠されていて、この切欠部に電気部品箱２０が嵌め込まれ、天板１ｆとの間に介在固定される。上記電気部品箱２０は、上下寸法が小さく、縦横寸法が大きな薄箱状をなしており、略３／４程度が機械室８Ｂに位置し、残りの略１／４程度が熱交換室８Ａに突出している。【００２６】
つぎに、上記電気部品箱２０について詳述する。図２は、電気部品箱２０を分解して示す斜視図である。電気部品箱２０は、電気部品箱本体２１と、電気部品箱天板２２とから構成される。電気部品箱本体２１と電気部品箱天板２２との間には制御基板ベース２３が挟持され、この制御基板ベース２３に制御基板２４が取付けられる。また、上記電気部品箱本体２１の底面に、配線カバー２５が取付けられる。【００２７】
上記電気部品箱天板２２は、金属製で矩形状の板状部材であり、その周縁部に沿って下方に一体に折曲部が形成される。上記制御基板べース２３は樹脂製をなし、電気部品箱天板２２の折曲部に着脱自在に取付けられる。【００２８】
上記制御基板２４は、プリント基板からなり、制御プログラムを格納するメモリなどの制御回路が図の下面側に形成されている。さらに、制御基板２４の下面には電解コンデンサ、パワートランジスタ、サーミスタなどが接続される複数のコネクタが実装され、電動弁用や四方切換え弁用等のワイヤハーネスが接続されている。【００２９】
具体的には、制御基板２４の下面に、上記機械室８Ｂ内の圧縮機１５や、配管類５を構成する四方切換え弁及び熱交換室８Ａ内の室外送風機１３等の電動部品を制御する電気部品Ｄが実装されていて、これら電気部品Ｄは制御基板２４の下面に吊持した状態となっている。制御基板２４の一側部には、電気部品Ｄであるパワートランジスタ等の発熱部品を冷却するための放熱フィンＦが取付けられている。【００３０】
上記電気部品箱本体２１は金属製であり、前面板２１ａと、後面板２１ｂと、左側面板２１ｃと、右側部が欠落し開口する底板２１ｄが一体に形成され、上面と右側面は完全に開口される。左側面板２１ｃの上端には枠部２１ｅが水平方向に突設される。この枠部２１ｅに上記放熱フィンＦが挿通し、枠部２１ｅと放熱フィンＦとの間はシール部材２６によってシールされるようになっている。【００３１】
上記制御基板２４に実装される電気部品Ｄは、実質的に電気部品箱本体２１を構成する前、後面板２１ａ，２１ｂと左側面板２１ｃ及び底板２１ｄとで囲まれる空間部に収容される。また、上記電気部品箱本体２１の底板２１ｄには開口部Ｋが設けられているので、底面側から開口部Ｋを介して制御基板２４に実装される電気部品Ｄが臨まれる。【００３２】
上記配線カバー２５も金属製であり、前面側と後面側に、電気部品箱本体２１の前面板２１ａ及び後面板２１ｂの外面と接触する折曲片部２５ａが設けられる。これら折曲片部２５ａには長手方向に沿ってガイド用長孔２７が設けられ、前面板２１ａと後面板２１ｂに突設されるピン２８が挿通している。【００３３】
したがって、配線カバー２５は電気部品箱本体２１の底板２１ｄに対してスライド自在である。なお説明すると、電気部品箱２０底面に配線カバー２５がスライド自在に取付けられていて、この配線カバー２５は電気部品箱２０底面に形成される開口部Ｋを開閉自在となっている。【００３４】
さらに、配線カバー２５の右側部には、上方に折曲される閉止用片部２５ｂが設けられていて、上記底板２１ｄに形成される開口部Ｋに突出している。このことから、配線カバー２５をスライド付勢することにより、電気部品箱本体底板２１ｄに設けられる開口部Ｋを閉成する位置と、開放する位置とに変位できる。【００３５】
さらに、配線カバー２５が上記開口部Ｋを閉成した位置にあっても、配線カバー２５に設けられる閉止用片部２５ｂは電気部品箱本体２１の右側部に形成される開口部を一部閉止するだけであり、そのほとんど大部分は開口された状態にある。この側面開口部は、後述するように制御基板２４の実装される電気部品Ｄに配線されたリード線の挿通用口Ｌになる。【００３６】
このようにして構成される電気部品箱２０を備えた空気調和機の室外機の組立時は、電気部品箱２０及び熱交換器１０や圧縮機１５等の構成部品を所定の部位に配置固定する。電気部品箱２０は、仕切り板７上端の切欠部に、放熱フィンＦとその周辺部分が熱交換室８Ａに突出し、残り大部分が機械室８Ｂに対向するよう取付ける。【００３７】
その後、電気部品箱２０内の電気部品Ｄと、圧縮機１５等の電動部品とを電気的に接続するためのリード線配線作業をなす。【００３８】
図３Ａは、リード線の配線作業時の状態を示す、電気部品箱２０の斜視図である。【００３９】
上記電気部品箱２０においては、配線カバー２５をスライドして電気部品箱本体２１の底板２１ｄに形成される開口部Ｋを開放する。そのうえで、一端を上記圧縮機１５等の電動部品に接続したリード線の他端部を、上記開口部Ｋを介して電気部品箱２０内に挿入し、制御基板２４に実装される電気部品Ｄのうちのコネクタに接続する。【００４０】
もしくは、制御基板２４に接続される電動弁用や四方切換え弁用等のワイヤハーネスを、上記開口部Ｋから機械室８Ｂ内に挿通して、必要な接続をなす。このように、電気部品箱２０底面に形成される開口部Ｋは、リード線の配線作業用の開口部として用いられ、配線作業性の向上化を得られる。【００４１】
図３Ｂは、リード線接続の作業終了後の状態を示す、電気部品箱２０の斜視図である。【００４２】
全てのリード線の配線作業を終了した後は、配線カバー２５をスライドさせて電気部品箱２０底面の開口部Ｋを閉成する。全てのリード線は、電気部品箱２０の右側部に開口するリード線挿通用口Ｌに挿通するよう移動し、上記底面開口部Ｋは完全閉成されることになる。【００４３】
空調運転（冷房運転）開始の信号が電気部品箱２０内の電気部品Ｄ及び制御回路に入力すると、圧縮機１５が駆動制御されて冷凍サイクル運転が行われる。同時に室外送風機１３が駆動され、外気を後キャビネット１ｅと左サイドキャビネット１ｃに形成される開口部を介して室外機本体１内に吸込み、熱交換器１０に流通させる。【００４４】
この熱交換器１０には、前記圧縮機１５で圧縮された冷媒が四方切換え弁を介して導通していて、外気と熱交換する。この後、冷媒は室内機へ導かれて室内空気と熱交換し、室内の空調作用（冷房）をなす。【００４５】
上記熱交換器１０と熱交換した外気はベルマウス２に案内され、吹出し口３からファンガード４を介して外部へ吹出される。電気部品箱２０に設けられる放熱フィンＦは熱交換室８Ａに突出しているので、室外送風機１３の送風作用にともなう外気に放熱して、パワートランジスタ等の発熱電気部品が冷却される。【００４６】
さらに、室外送風機１３の作用にともなって外気が機械室８Ｂ内に吸込まれ、ここに配置される圧縮機１５や気液分離器１６などを冷却し、外部へ排出される。機械室８Ｂ内には電気部品箱２０のほとんど大部分が配置されているので、機械室８Ｂ内に吸込まれた外気の一部が電気部品箱２０内に導入され、電気部品箱２０内に実装されている電気部品が冷却される。【００４７】
このようにして、別ピースの配線カバー２５を予め電気部品箱２０底面に取付けておき、リード線の配線作業終了後に配線カバー２５をスライドさせて配線作業用のスペースを閉成する。したがって、電気部品箱２０を囲い構造の筐体（エンクロージャー構造化）となし、剛性強化を図れる。【００４８】
たとえ万が一、何らかの要因で電気部品箱２０内の電気部品Ｄが破裂したり、回路が短絡したりすることで発火して、電気部品箱２０内の制御基板２４から電気部品Ｄが剥がれ落ちるような事態に至っても、電気部品箱２０より下方の機械室８Ｂ内への落下を防止できる。すなわち、機械室８Ｂ内に備えた防音材などへの着火による火災発生を未然に防ぎ、安全性の向上が図れる。【００４９】
なお、上記実施の形態では、電気部品箱２０を仕切り板７の切欠部と室外機本体天板１ｆとの間に取付けた状態にして、底面開口部Ｋを開放しリード線を接続するようにしたが、これに限定されるものではない。すなわち、電気部品箱２０を所定の部位に取付けると、水平姿勢の制御基板２４の下面側にコネクタ類を含む電気部品Ｄがある。【００５０】
一端を圧縮機１５等の電動部品に接続したリード線を、電気部品箱２０底面の開口部Ｋから電気部品箱２０内に挿入しコネクタ類に接続するには、電気部品箱２０と制御基板２４を見上げた状態にして作業しなければならない。しかるに、複数本のリード線の接続するため見上げた姿勢を継続して保持するには、作業性が悪い。【００５１】
図４Ａは、リード線接続作業時の電気部品箱２０と、一部を省略した室外機本体１の斜視図であり、図４Ｂは図４Ａの反対側から見た電気部品箱２０と、一部を省略した室外機本体１の拡大した斜視図である。【００５２】
図４Ｂに示すように、上記仕切り板７の前端部で、仕切り板７の上端からある程度離間した位置に、孔部からなるフック３０を備えている。上記フック３０は、室外機本体１を構成する前キャビネット１ｂを取外すことで、室外機本体１の前面側に露出する。【００５３】
その一方で、図２、図３Ａ及び図３Ｂ及び図４Ｂにも示すように、上記配線カバー２５の略中央部には、切起し加工による引掛け爪３１が設けられる。この引掛け爪３１の切起し寸法は、上記フック３０に掛脱可能に形成される。【００５４】
リード線の配線作業時には、図４Ａ及び図４Ｂに示すように、電気部品箱２０を縦向きにしたうえに、電気部品箱２０底面の配線カバー２５を仕切り板７の前端部に当てる。そして、図４Ｂに示すように、配線カバー２５に設けられる引掛け爪３１を仕切り板７前端部に設けられるフック３０に掛止する。【００５５】
この状態で電気部品箱２０全体が仕切り板７の前端部から手前側に突出し、かつ縦長の箱体に形態変更する。電気部品箱２０内部に収容される制御基板２４も縦置き状態となる。リード線挿通用口Ｌも縦長形状となり、配線カバー２５をスライドさせて電気部品箱２０底面の開口部Ｋを開口させる。【００５６】
したがって、一端を圧縮機１５等の電動部品に接続したリード線を、電気部品箱２０の側面部に縦長に開口する開口部Ｌから挿入して、縦置きした制御基板２４のコネクタ類Ｄに接続する。特に制御基板２４を見上げた状態とならず、電気部品箱２０を側部から覗く姿勢で作業でき、配線作業性の向上を得られる。【００５７】
再び図３Ｂに示すように、電気部品箱本体２１の側部にねじ孔３３を設けるとともに、配線カバー２５の隅部に位置規制用片部３４を設ける。さらに、図４Ｂに示すように、仕切り板７にねじ挿通用孔３５を設けるとともに、図４Ａ及び図４Ｂに示すように、邪魔板部３６を設けるとよい。【００５８】
すなわち、本発明は、電気部品箱２０の開口部を閉成する囲い構造として剛性増大化を図るとともに、下面開口を閉鎖することで部品の落下防止を行うことが目的のため、リード線の配線作業終了後は配線カバー２５を正規位置までスライドして電気部品箱２０底面の開口部Ｋを閉成する必要がある。【００５９】
配線カバー２５を備えていても、リード線の配線作業終了後に、配線カバー２５は上記開口部Ｋを閉成せず開口したまま、もしくは配線カバー２５をスライド操作したが、途中位置に配線カバー２５がある不完全閉成の状態では、本発明の目的を満足することができない。【００６０】
そこで、上記ねじ孔３３や位置規制用片部３４等を設けておき、図４Ａ及び図４Ｂで説明したように電気部品箱２０を縦姿勢にしてリード線配線作業を行う。リード線の配線作業終了後は、電気部品箱２０を水平姿勢にして仕切り板７の切欠部に載せる。【００６１】
このとき、配線カバー２５を正規位置までスライドさせて底面開口部Ｋを完全に閉成させないと、配線カバー２５に設けた上記位置規制用片部３４が、仕切り板７に設けた邪魔板部３６に接触してしまう。当然、電気部品箱２０のねじ孔３３と仕切り板７のねじ挿通用孔３５の位置がずれて、固定ねじを挿入することができない。【００６２】
換言すれば、配線カバー２５に位置規制用片部３４を設け、仕切り板７に邪魔板部３６を設けることで、リード線配線作業用開口部Ｋを完全閉成した状態での電気部品箱２０の取付け位置を確定できる。【００６３】
なお、上記実施の形態においては電気部品箱２０の側面部に、リード線挿通用口Ｌを備えたが、これに限定されるものではなく、電気部品箱２０の底面部からもリード線を取出しできれば都合がよい。【００６４】
図５Ａは、電気部品箱２０の底面図であり、図５Ｂは図５Ａとは異なる状態の電気部品箱２０の底面図である。【００６５】
すなわち、電気部品箱２０の剛性増大化を得るという本発明の主旨から言って、電気部品箱２０底面には開口部を設けないことが望ましいが、条件によってはリード線を取出すための開口部を設ける仕様がある。【００６６】
このような仕様では、電気部品箱本体２１の底板２１ｄには、図５に破線で示すように、丸孔からなる第１の配線取出し孔４０が設けられる。また前記配線カバー２５には、図２と図５に破線で示すように、長孔からなる第２の配線取出し孔４１が設けられる。第１の配線取出し孔４０と第２の配線取出し孔４１の電気部品箱２０側面部から軸芯位置までの距離は一致し、半径は互いに等しい。【００６７】
図５Ａに示すように、配線カバー２５で電気部品箱２０底面のリード線配線作業用開口部Ｋを開放した状態では、上記第１の配線取出し孔４０に対して上記第２の配線取出し孔４１の位置が略一致し、互いに連通する。このときは、第１の配線取出し孔４０が完全開放され、必要なリード線を挿通してもなお、スペース的に余裕がある。【００６８】
図５Ｂに示すように、配線カバー２５で電気部品箱２０のリード線配線作業用開口部Ｋを閉成した状態では、第１の配線取出し孔４０に対して第２の配線取出し孔４１の位置がずれて互いに一部を残して閉成する。すなわち、第１の配線取出し孔４０と第２の配線取出し孔４１とに一部が開口したまま残り、この開口部に上記リード線が絞られた状態で挿通する。【００６９】
このように、電気部品箱２０底面に配線カバー２５を備え、この配線カバー２５のスライド構造を利用して、電気部品箱本体底板２１ｄの第１の配線取出し孔４０と配線カバー２５の第２の配線取出し孔４１を、［スライド量］−［取出されるリード線の占有断面積］分だけずらして配置した。【００７０】
配線カバー２５のスライド前である開口部Ｋを開放した状態では、第１の配線取出し孔４０に対し第２の配線取出し孔４１の位置が略一致して互いに連通し、リード線の挿通スペースを充分に確保しながら作業できる。【００７１】
配線カバー２５をスライドした後の開口部Ｋを閉成した状態では、第１の配線取出し孔４０に対して第２の配線取出し孔４１の位置がずれて、互いに一部を残して閉成する。すなわち、第１、第２の配線取出し孔４０，４１の開口面積をリード線の挿通分だけに必要最小限に絞ることができるため、下面開口を実質的に閉成できる。【００７２】
上記配線カバー２５は、リード線の配線作業をなす際に電気部品箱２０底面の開口部Ｋを開放するようスライドし、リード線の配線作業をなした後は上記開口部Ｋを閉成するようスライドする。いずれの位置でも配線カバー２５は正規の位置に確実に位置決めされなければ、作業的に影響がでる。【００７３】
そこで、配線カバー２５の開口部Ｋを開放する位置と、開口部Ｋを閉成する位置の両方に、配線カバー２５の位置決めをなす手段を備えることとする。【００７４】
図６Ａは配線カバー２５の開口部Ｋ開放位置での電気部品箱２０の側面図であり、図６Ｂは配線カバー２５の開口部Ｋ閉成位置での電気部品箱２０の側面図である。【００７５】
電気部品箱本体２１の前面板２１ａと後面板２１ｂの、それぞれ左側部と右側部には、係止部である一対の突起部４５が互いに離間した位置に設けられる。これに対して配線カバー２５の上記折曲片部２５ａにおけるガイド用長孔２７の左右側部には、それぞれ係合部である一対の凹部４６が互いに離間した位置に設けられる。互いの突起部４５と凹部４６は、それぞれ掛脱自在に形成される。【００７６】
配線カバー２５が電気部品箱２９底面の開口部Ｋを開放する図６Ａの状態では、配線カバー２５に設けられる一方の凹部４６が、電気部品箱本体２１に設けられる図示しない一方の突起部４５に掛合する。したがって、開口部Ｋを開放する配線カバー２５の位置決めがなされ、強制的に配線カバー２５をスライド付勢しない限りその位置を保持する。【００７７】
配線カバー２５が電気部品箱２０底面の開口部Ｋを閉成する図６Ｂの状態では、配線カバー２５に設けられる他方の凹部４６が、電気部品箱本体２１に設けられる図示しない他方の突起部４５に掛合する。したがって、開口部Ｋを閉成する配線カバー２５の位置決めがなされ、強制的に配線カバー２５をスライド付勢しない限りその位置を保持する。【００７８】
電気部品箱本体２１に突起部４５に代って凹部４６を設け、配線カバー２５に凹部４６に代って突起部４５を設けてもよい。いずれにしても、配線カバー２５と電気部品箱本体２１に、配線カバー２５の位置決めをなす係止部４５と係合部４６を備えることで、リード線の配線作業の容易化を得られ、作業性の向上を図ることができる。【００７９】
なお、本発明は上述した実施の形態そのままに限定されるものではなく、実施段階ではその要旨を逸脱しない範囲で構成要素を変形して具体化できる。そして、上述した実施の形態に開示されている複数の構成要素の適宜な組み合わせにより種々の発明を形成できる。
【産業上の利用可能性】
【００８０】
本発明によれば、リード線接続作業の容易化を得て作業性の向上を図り、リード線接続作業の完了後は電気部品箱の開口部を閉成する囲い構造として、電気的な不具合の発生時における電気部品の外部への落下などの抑制を図れる等の効果を奏する。
【図１】
2009041424.tif 000003
【図２】
2009041424.tif 000004
【図３Ａ】
2009041424.tif 000005
【図３Ｂ】
2009041424.tif 000006
【図４Ａ】
2009041424.tif 000007
【図４Ｂ】
2009041424.tif 000008
【図５Ａ】
2009041424.tif 000009
【図５Ｂ】
2009041424.tif 000010
【図６Ａ】
2009041424.tif 000011
【図６Ｂ】
2009041424.tif 000012
【国際調査報告】
2009041424.tif 000013
2009041424.tif 000014
2009041424.tif 000015
2009041424.tif 000016